(57)【要約】      （修正有）【課題】作業者の熟練度に依存することなく、かつ容易に、ワイヤロープの端末処理のための芯綱の交換を行える芯綱交換治具を提供する。【解決手段】ワイヤロープの芯綱交換治具は、ワイヤロープ５の芯綱７の交換に際し、芯綱７が挿入され、挿入された芯綱７を保持する芯綱用穴２と、複数のストランド６がそれぞれ挿入され、挿入されたストランド６のそれぞれを保持する複数のストランド用穴３とを有し、芯綱７が芯綱用穴２に挿入保持され、合せてストランド６のそれぞれが該当するストランド用穴３に挿入保持された状態で、芯綱用穴２に挿入保持された芯綱７を中心に回転操作される操作体、例えば外周部の把持が可能な円板状体１から成っている。円板状体１の中央位置に芯綱用穴２を設け、芯綱用穴２の周囲に複数のストランド用穴３を設けてある。【選択図】図１
2014218757.tif 000002
【特許請求の範囲】
【請求項１】
芯綱と、この芯綱の周りに撚られる複数本のストランドとを有するワイヤロープの前記芯綱を交換するワイヤロープの芯綱交換治具において、
前記ワイヤロープの前記芯綱の交換に際し、前記芯綱が挿入され、挿入された前記芯綱を保持する芯綱用穴と、前記複数のストランドがそれぞれ挿入され、挿入された前記ストランドのそれぞれを保持する複数のストランド用穴とを有し、前記芯綱が前記芯綱用穴に挿入保持され、合せて前記ストランドのそれぞれが該当する前記ストランド用穴に挿入保持された状態で、前記芯綱用穴に挿入保持された前記芯綱を中心に回転操作される操作体から成ることを特徴とするワイヤロープの芯綱交換治具。
【請求項２】
請求項１に記載のワイヤロープの芯綱交換治具において、
前記操作体は、外周部の把持が可能な円板状体から成り、
前記円板状体の中央位置に前記芯綱用穴を設け、前記芯綱用穴の周囲に前記複数のストランド用穴を設けたことを特徴とするワイヤロープの芯綱交換治具。
【請求項３】
請求項２に記載のワイヤロープの芯綱交換治具において、
前記複数のストランド用穴は、前記芯綱用穴に近づく側に形成され、径寸法を小さく設定した複数の小径ストランド用穴と、これらの小径ストランド用穴の前記芯綱用穴から離れる側である外側に形成され、前記小径ストランド用穴よりも径寸法を大きく設定した複数の大径ストランド用穴とを含むことを特徴とするワイヤロープの芯綱交換治具。
【請求項４】
請求項２または３に記載のワイヤロープの芯綱交換治具において、
前記円板状体の前記外周部に、この外周部を把持し、回転操作する際の前記円板状体との係着力を増加させる係着力増加部を設けたことを特徴とするワイヤロープの芯綱交換治具。
【請求項５】
請求項４に記載のワイヤロープの芯綱交換治具において、
前記係着力増加部は、前記円板状体の前記外周部に形成した溝から成ることを特徴とするワイヤロープの芯綱交換治具。
【請求項６】
請求項１〜５のいずれか１項に記載のワイヤロープの芯綱交換治具を用いて、前記ワイヤロープの前記芯綱を交換するワイヤロープの芯綱交換方法において、
前記ワイヤロープの端部をばらして、前記ワイヤロープの前記芯綱を前記操作体の前記芯綱用穴に挿入して保持させるとともに、前記ワイヤロープの前記ストランドのそれぞれを前記ストランド用穴に挿入して保持させ、
この状態で前記操作体を、前記ストランドの巻回方向とは逆方向に回転させて前記複数のストランドのそれぞれをさらにばらしながら、前記ワイヤロープの端部から離れる方向に前記芯綱の所定の切断必要長さまで移動させ、
前記操作体を、前記所定の切断必要長さまで移動させた状態で、前記操作体を挟んで前記ワイヤロープの前記端部側とは反対側に位置する前記芯綱の部分を切断器で切断し、この切断によって除去可能となった芯綱部分を前記操作体の前記芯綱用穴から抜き取り、
次に、交換に用いられる芯綱部分を、前記操作体の前記芯綱用穴に挿入し、前記交換に用いられる芯綱部分の端部を、切断によって残された芯綱部分の端部に当接させ、
この状態で前記操作体を、前記ストランドの前記巻回方向に回転させながら、前記ワイヤロープの前記端部方向に移動させて前記ストランドを撚り戻すようにしたことを特徴とするワイヤロープの芯綱交換方法。
【発明の詳細な説明】
【技術分野】
【０００１】
本発明は、エレベータのかごを昇降させる主ロープ等に用いられるワイヤロープの芯綱交換治具、及びワイヤロープの芯綱交換方法に関する。
【背景技術】
【０００２】
従来、エレベータの主ロープを構成するワイヤロープの端末処理において、ワイヤロープの端末をソケットで折り返し、そこに溶けた金属を流し込んで固定するようにしている。このために、ナイロン製の芯綱を備えているものでは高温度に耐えられない。そこで、この端末処理を行う部分については、ナイロン製の芯綱から麻製の芯綱に交換する必要があった。従来、このような作業は作業員の手作業にてワイヤロープの複数本のストランド、例えば８本のストランドを必要となる長さまでばらし、ナイロン製の芯綱を切断して、麻製の芯綱の取り付け作業を行い、ばらしたストランドの撚り戻しを行っていた。
【０００３】
なお従来、撚り線のバラシ治具として、撚り線をばらし、シール材を充填する技術が特許文献１に提案されている。
【先行技術文献】
【特許文献】
【０００４】
【特許文献１】特開２００２−６６６７９号公報
【発明の概要】
【発明が解決しようとする課題】
【０００５】
従来のワイヤロープの端末処理のための芯綱の交換作業においては、例えば８本からなるストランドを手作業にて１本ずつばらす必要があり、また、ばらしたストランドを開いた状態に保持させてナイロン製の芯綱を切断する作業、切断したナイロン製の芯綱に代えて麻製の芯綱を取り付ける作業、また、ばらしたストランドを元の状態に撚り戻す作業のそれぞれを手作業で行っていた。したがって、この芯綱の交換作業は、煩雑で作業能率の向上を見込めない問題があるとともに、芯綱交換後のワイヤロープの端末の品質が作業者の熟練度に依存する問題があった。また、同一の作業者であっても、作業ごとに芯綱の交換後のワイヤロープの端末の品質が異なりやすく、このワイヤロープの端末の芯綱交換後の品質を均一に保つことは困難であった。
【０００６】
なお、特許文献１に開示された技術では、ワイヤロープの端部がばらされないようにしながらワイヤロープの途中の部分をばらし、そのばらした部分にシール材を充填するための治具であり、エレベータの主ロープを構成するワイヤロープの端末の芯綱の交換が可能なばらし作業が行えるものではなかった。
【０００７】
本発明は、前述した従来技術における実情からなされたもので、その目的は、作業者の熟練度に依存することなく、かつ容易に、ワイヤロープの端末処理のための芯綱の交換を行うことができるワイヤロープの芯綱交換治具、及びワイヤロープの芯綱交換方法を提供することにある。
【課題を解決するための手段】
【０００８】
前記目的を達成するために、本発明に係るワイヤロープの芯綱交換治具は、芯綱と、この芯綱の周りに撚られる複数本のストランドとを有するワイヤロープの前記芯綱を交換するワイヤロープの芯綱交換治具において、前記ワイヤロープの前記芯綱の交換に際し、前記芯綱が挿入され、挿入された前記芯綱を保持する芯綱用穴と、前記複数のストランドがそれぞれ挿入され、挿入された前記ストランドのそれぞれを保持する複数のストランド用穴とを有し、前記芯綱が前記芯綱用穴に挿入保持され、合せて前記ストランドのそれぞれが該当する前記ストランド用穴に挿入保持された状態で、前記芯綱用穴に挿入保持された前記芯綱を中心に回転操作される操作体から成ることを特徴としている。
【０００９】
また、前記目的を達成するために、本発明に係るワイヤロープの芯綱交換方法は、前記ワイヤロープの芯綱交換治具を用いて、前記ワイヤロープの前記芯綱を交換するワイヤロープの芯綱交換方法において、前記ワイヤロープの端部をばらして、前記ワイヤロープの前記芯綱を前記操作体の前記芯綱用穴に挿入して保持させるとともに、前記ワイヤロープの前記ストランドのそれぞれを前記ストランド用穴に挿入して保持させ、この状態で前記操作体を、前記ストランドの巻回方向とは逆方向に回転させて前記複数のストランドのそれぞれをさらにばらしながら、前記ワイヤロープの端部から離れる方向に前記芯綱の所定の切断必要長さまで移動させ、前記操作体を、前記所定の切断必要長さまで移動させた状態で、前記操作体を挟んで前記ワイヤロープの前記端部側とは反対側に位置する前記芯綱の部分を切断器で切断し、この切断によって除去可能となった芯綱部分を前記操作体の前記芯綱用穴から抜き取り、次に、交換に用いられる芯綱部分を、前記操作体の前記芯綱用穴に挿入し、前記交換に用いられる芯綱部分の端部を、切断によって残された芯綱部分の端部に当接させ、この状態で前記操作体を、前記ストランドの前記巻回方向に回転させながら、前記ワイヤロープの前記端部方向に移動させて前記ストランドを撚り戻すようにしたことを特徴としている。
【発明の効果】
【００１０】
本発明に係るワイヤロープの芯綱交換治具、及びワイヤロープの芯綱交換方法によれば、把持した操作体を回転操作させることによって、操作体に挿入保持させたストランドをばらし、または撚り戻して、ワイヤロープの端末処理に好適な芯綱に交換できるので、作業者の熟練度に依存することなく、かつ容易に、ワイヤロープの端末処理のための芯綱の交換を行うことができる。これにより本発明は、従来に比べてワイヤロープの芯綱交換作業の能率を向上させることができ、また、芯綱交換後のワイヤロープ端末の均一で精度の高い品質の確保を実現させることができる。
【図面の簡単な説明】
【００１１】
【図１】本発明に係るワイヤロープの芯綱交換治具の一実施形態を示す斜視図である。
【図２】芯綱が交換されるワイヤロープを示す縦断面図である。
【図３】本実施形態に係るワイヤロープの芯綱交換治具の使い方を説明する図で、［Ａ］図は側面図、［Ｂ］図は正面図である。
【図４】本実施形態に係るワイヤロープの芯綱交換治具を用いて行われるワイヤロープの芯綱交換方法の一実施形態を説明する図で、［Ａ］図はワイヤロープのストランドを撚り戻し、芯綱を切断するまでの作業を説明する図、［Ｂ］図は新しい芯綱に交換して、ワイヤロープのストランドをワイヤロープの端部まで撚る作業を説明する図である。
【発明を実施するための形態】
【００１２】
以下、本発明に係るワイヤロープの芯綱交換治具、及びワイヤロープの芯綱交換方法の実施の形態を図面に基づいて説明する。
【００１３】
図１は本発明に係るワイヤロープの芯綱交換治具の一実施形態を示す斜視図、図２は芯綱が交換されるワイヤロープを示す縦断面図、図３は本実施形態に係るワイヤロープの芯綱交換治具の使い方を説明する図で、［Ａ］図は側面図、［Ｂ］図は正面図である。
【００１４】
図２に示すように、本発明の対象であるワイヤロープ５は、例えばエレベータの主ロープを構成するワイヤロープであり、例えばナイロン製の芯綱７と、この芯綱７の周りに撚られる複数本の鋼線から成るストランド６とを有している。
【００１５】
図１に示すように、本実施形態に係るワイヤロープの交換治具は、回転操作される操作体、例えば外周部の把持が可能な円板状体１から成っている。この円板状体１は、同図１に示すように、ワイヤロープ５の芯綱７の交換に際し、芯綱７が挿入され、挿入された芯綱７を保持する芯綱用穴２と、複数本のストランド８がそれぞれ挿入され、挿入されたストランド８のそれぞれを保持する複数のストランド用穴３とを有している。この円板状体１は、図３に示すように、芯綱７が芯綱用穴２に挿入保持され、合せてストランド６のそれぞれが該当するストランド用穴３に挿入保持された状態で、芯綱用穴２に挿入保持された芯綱７を中心に回転操作されるようになっている。
【００１６】
図１に示すように、円板状体１の中央位置に芯綱用穴２を設け、芯綱用穴２の周囲に複数のストランド用穴３を設けてある。また、複数のストランド用穴３は例えば、芯綱用穴２に近づく側に形成され、径寸法を小さく設定した複数の小径ストランド用穴３ａと、これらの小径ストランド用穴３ａの芯綱用穴２から離れる側である外側に形成され、小径ストランド用穴３ａよりも径寸法を大きく設定した複数の大径ストランド用穴３ｂとを含んでいる。このようにストランド用穴３を、小径ストランド用穴３ａと、大径ストランド用穴３ｂとによって構成することにより、種々の径のワイヤロープにおいて円板状体１を用いて芯綱７の交換を行うことができる。なお、前述した図３の［Ｂ］図では、説明を簡単にするために、円板状体１に小径ストランド用穴３ａのみを描いてある。
【００１７】
また本実施形態は、図１に示すように、円板状体１の外周部に、この外周部を把持し回転操作する際の円板状体１との係着力を増加させる係着力増加部、例えば等間隔に複数形成された溝４を設けてある。
【００１８】
図３に示すように、本実施形態に係る芯綱交換治具を構成する円板状体１の芯綱用穴２にワイヤロープ５の芯綱７を挿入保持させ、ストランド用穴３にワイヤロープ５のストランド６のそれぞれを１本ずつ挿入保持させた状態で、円板状体１を矢印８ａ方向に、または矢印８ｂ方向に、円板状体１の外周部に設けた溝４への把持に伴う係着力を介して回転させながら、円板状体１を矢印９で示すように移動させることにより、ワイヤロープ５をばらすことができ、また撚り戻すことができる。
【００１９】
図４は、本実施形態に係るワイヤロープの芯綱交換治具、すなわち円板状体１を用いて行われるワイヤロープの芯綱交換方法の一実施形態を説明する図で、［Ａ］図はワイヤロープのストランドを撚り戻し、芯綱を切断するまでの作業を説明する図、［Ｂ］図は新しい芯綱に交換して、ワイヤロープのストランドをワイヤロープの端部まで撚る作業を説明する図である。
【００２０】
円板状体１を用いて行われる本実施形態に係るワイヤロープの芯綱交換方法は、以下のようにしてワイヤロープ５の芯綱７を交換するものである。
【００２１】
すなわち本実施形態に係るワイヤロープの芯綱交換方法は、はじめに、ワイヤロープ５の端部をわずかにばらして、ワイヤロープ５の芯綱７を円板状体１の芯綱用穴２に挿入して保持させるとともに、ワイヤロープ５のストランド６のそれぞれを円板状体１のストランド用穴３、例えば小径ストランド用穴３ａのそれぞれに挿入して保持させる。この場合、芯綱７の芯綱用穴２への挿入を、ストランド６のストランド用穴３への挿入よりも前にしてもよく、また後にしてもよい。また、ワイヤロープ５の端部のばらしは、芯綱７の芯綱用穴２への挿入、及びストランド６のストランド用穴３への挿入を行える程度の短い長さのばらしで済むことから、作業者の負担を非常に軽減できる。
【００２２】
この状態で円板状体１を、ストランド６の巻回方向とは逆方向である図４の［Ａ］図の矢印８ａ方向に回転させて複数のストランド６のそれぞれをさらにばらしながら、ワイヤロープ５の端部から離れる同図４の［Ａ］図の矢印９ａ方向に芯綱７を所定の切断必要長さまで移動させる。
【００２３】
円板状体１を、前述の所定の切断必要長さまで移動させた状態で、円板状体１を挟んでワイヤロープ５の前述した端部側とは反対側に位置する芯綱７の部分を、同図４の［Ａ］図に示す切断器１０で切断し、この切断によって除去可能となった芯綱７部分を円板状体１の芯綱用穴２から抜き取る。
【００２４】
次に、同図４の［Ｂ］図に示すように、交換に用いられる芯綱部分７ａを、円板状体１の芯綱用穴２に挿入し、この交換に用いられる芯綱部分７ａの端部を、切断によって残された芯綱７部分の端部に当接させる。例えば交換に用いられる芯綱部分７ａは麻製のものから成っている。
【００２５】
この状態で円板状体１を、ストランド６の巻回方向である同図４の［Ｂ］図の矢印８ｂ方向に回転させながら、ワイヤロープ５の端部方向に、すなわち矢印９ｂ方向に移動させてストランド６を端部まで撚り戻す。これにより、芯綱交換作業は終了する。
【００２６】
以上のように、本実施形態に係る円板状体１に芯綱用穴２とストランド用穴３のそれぞれを互いに独立して設けてあり、また、ばらした芯綱７やストランド６を芯綱用穴２とストランド用穴３のそれぞれで保持することができるので、新しい芯綱７ａに交換する際に、その芯綱７ａがストランド６に対して適正な位置に維持され、ストランド６の撚り戻し作業を行う際に、芯綱７ａの暴れを小さく抑えられる。これにより本実施形態に係る芯綱交換治具、及び芯綱交換方法によれば、作業者の熟練度に依存することなく、かつ容易に、ワイヤロープ５の端末処理のための芯綱７の交換を行うことができ、ワイヤロープ５の芯綱７の交換作業の能率を向上させることができ、また、芯綱７の交換後のワイヤロープ５端末の均一で精度の高い品質の確保を実現させることができる。また、一人の作業者のみによって、このワイヤロープ５の芯綱７の交換作業を行うことができる。
【００２７】
また、エレベータの主ロープを構成するワイヤロープ５は、一般に油等が付着していて滑りやすいが、本実施形態に係る円板状体１にあっては、ワイヤロープ５のストランド６のばらし、撚り戻しの回転操作時に把持される外周部に複数の溝４を設けてあるので、この溝４が滑り止めとなり、作業者の把持に伴って与えられる回転力を、円板状体１に確実に伝え、この円板状体１を円滑に回転させることができる。これにより、油等が付着しているワイヤロープ５にあっても、ストランド６のばらし、撚り戻しによる芯綱７の交換作業を能率良く行うことができる。
【００２８】
なお、前述した実施形態に係る円板状体１は、ストランド用穴３として、各種の径のワイヤロープ５に対応させるために、小径ストランド用穴３ａと大径ストランド用穴３ｂの双方を設けてあるが、特定の径のワイヤロープ５のための専用治具とする場合には、単に１つの径から成るストランド用穴３のみを設けた構成にすればよい。
【符号の説明】
【００２９】
１    円板状体（操作体）
２    芯綱用穴
３    ストランド用穴
３ａ  小径ストランド用穴
３ｂ  大径ストランド用穴
４    溝（係着力増加部）
５    ワイヤロープ
６    ストランド
７    芯綱
７ａ  交換に用いられる芯綱部分
８ａ  矢印
８ｂ  矢印
９    矢印
９ａ  矢印
９ｂ  矢印
１０    切断器
【図１】
2014218757.tif 000003
【図２】
2014218757.tif 000004
【図３】
2014218757.tif 000005
【図４】
2014218757.tif 000006